(57)【特許請求の範囲】
【請求項１】
多重露光撮影が可能な多重露光モードを設定するモード設定手段と、
前記モード設定手段によって多重露光モードが設定され、複数枚分の撮影が行われると、撮影ごとに取り込んだ画像をデジタル加算処理して多重露光された加算画像を生成する画像生成手段と、
前記モード設定手段によって多重露光モードが設定されると、２枚目以降の撮影時におけるデジタル画像処理に関する調整又は設定される機能を禁止する手段と、
を備えたことを特徴とするデジタルカメラ。
【請求項２】
前記調整又は設定される機能は、電子ズーム機能、ホワイトバランス、画素数、圧縮率、階調特性及びシャープネスの設定機能のうちの少なくとも１つを含むことを特徴とする請求項１のデジタルカメラ。
【請求項３】
多重露光撮影が可能な多重露光モードを設定するモード設定手段と、
前記モード設定手段によって多重露光モードが設定され、複数枚分の撮影が行われると、撮影ごとに取り込んだ画像をデジタル加算処理して多重露光された加算画像を生成する画像生成手段と、
前記モード設定手段によって多重露光モードが設定されると、電子ズームの機能を禁止する手段と、
を備えたことを特徴とするデジタルカメラ。
【請求項４】
前記電子ズームの機能を禁止する手段は、電子ズームによる撮影倍率を等倍に固定することを特徴とする請求項３のデジタルカメラ。
【請求項５】
前記電子ズームの機能が禁止されると、該電子ズームの操作スイッチが無効であることを表示内容に反映させる表示手段を有することを特徴とする請求項３又は４のデジタルカメラ。
【請求項６】
前記画像生成手段は、２枚目以降の画像については該画像から黒レベルに相当するオフセット分を減算したのち先の画像に加算することを特徴とする請求項１乃至５のいずれかに記載のデジタルカメラ。
【請求項７】
画像表示手段と、撮影前の被写体の画像をスルー画像として前記画像表示手段に表示させ、撮影後記録前の画像をプレビュー画像として前記画像表示手段に表示させる表示制御手段と、を備えたことを特徴とする請求項１乃至６のいずれかに記載のデジタルカメラ。
【請求項８】
前記画像生成手段は、３フレーム分の画像を記憶する３つの記憶領域を有し、これらの３つの記憶領域を今回の撮影で取り込んだ取込画像を記憶する記憶領域と、前回の撮影までに取り込んだ画像を加算処理した画像、又は前回の撮影までに取り込んだ画像が１枚の場合にはその画像をキープ画素として記憶する記憶領域と、今回の撮影で取り込んだ取込画像とキープ画像とを加算処理した加算画像を記憶する記憶領域とに使い分け、
前記表示制御手段は、最初の撮影で取り込んだ取込画像又は前記加算画像をプレビュー画像として前記画像表示手段に表示させ、
前記画像表示手段によるプレビュー画像の表示中に撮り直しが指示されると、最後の取込画像に代えて新たな画像の取り込みを可能にする手段を有することを特徴とする請求項７のデジタルカメラ。
【請求項９】
前記画像表示手段によるスルー画像の表示中にスルー画像の表示と前記キープ画像の表示とを選択的に切り替える切替手段を有することを特徴とする請求項８のデジタルカメラ。
【発明の詳細な説明】
【０００１】
【発明の属する技術分野】
本発明はデジタルカメラに係り、特に多重露光撮影が可能なデジタルカメラに関する。
【０００２】
【従来の技術】
従来、多重露光撮影が可能なＣＣＤ撮像素子を有する撮像装置としては、特開平１１−１７８００１号公報に記載のものがある。
【０００３】
この撮像装置は、１フレーム期間内にＣＣＤ上で電荷を複数回に分けて蓄積することにより多重露光撮影するようにしている。
【０００４】
【発明が解決しようとする課題】
上記従来の撮像装置による多重露光撮影は、被写体の動体解析などに適用されるもので、多重露光撮影時の各シャッタパルスは所要のタイミングで自動的に出力され、多重露光撮影は瞬時に終了する。従って、例えば全く異なる被写体を別々に撮影し、これらを合成したような多重露光撮影はできない。
【０００５】
一方、近年のデジタル技術の進歩により、撮影ごとに画像をデジタル加算処理することにより多重露光撮影を実現できるようになった。
【０００６】
しかしながら、撮影ごとに画像をデジタル加算して多重露光を実現する場合、例えば電子ズーム（画像を切り出して表示／記録）を撮影ごとに変更すると、電子ズームによる切り出し範囲の大きさの違いにより加算される部分と加算されない部分とが混在し、多重露光された領域と多重露光されない領域とが生じるという問題がある。また、撮影ごとに画像数（画像サイズ）を変更した場合にも上記と同様な問題が生じる。
【０００７】
本発明はこのような事情に鑑みてなされたもので、撮影ごとに画像をデジタル加算処理して多重露光撮影を実現する際に、電子ズーム等のデジタル画像処理において画像破綻しないようにすることができ、また、記録前に多重露光された画像等を確認することができるとともに、最後に取り込んだ画像の撮り直しができるデジタルカメラを提供することを目的とする。
【０００８】
【課題を解決するための手段】
前記目的を達成するために、本願請求項１に係るデジタルカメラは、多重露光撮影が可能な多重露光モードを設定するモード設定手段と、前記モード設定手段によって多重露光モードが設定され、複数枚分の撮影が行われると、撮影ごとに取り込んだ画像をデジタル加算処理して多重露光された加算画像を生成する画像生成手段と、前記モード設定手段によって多重露光モードが設定されると、２枚目以降の撮影時におけるデジタル画像処理に関する調整又は設定される機能を禁止する手段と、を備えたことを特徴としている。
【０００９】
前記調整又は設定される機能は、本願請求項２に示すように電子ズーム機能、ホワイトバランス、画素数、圧縮率、階調特性及びシャープネスの設定機能のうちの少なくとも１つを含むことを特徴としている。本願請求項３に係るデジタルカメラは、多重露光撮影が可能な多重露光モードを設定するモード設定手段と、前記モード設定手段によって多重露光モードが設定され、複数枚分の撮影が行われると、撮影ごとに取り込んだ画像をデジタル加算処理して多重露光された加算画像を生成する画像生成手段と、前記モード設定手段によって多重露光モードが設定されると、電子ズームの機能を禁止する手段と、を備えたことを特徴としている。これにより、１枚目の画像と２枚目以降の画像との画像の大きさ等を統一し、各画像をデジタル加算処理する際に画像破綻をきたさないようにしている。
【００１０】
前記電子ズームの機能を禁止する手段は、本願請求項４に示すように電子ズームによる撮影倍率を等倍に固定することを特徴としている。また、前記電子ズームの機能が禁止されると、本願請求項５に示すように該電子ズームの操作スイッチが無効であることを表示内容に反映させる表示手段を有することを特徴としている。
【００１１】
前記画像生成手段は、本願請求項６に示すように２枚目以降の画像については該画像から黒レベルに相当するオフセット分を減算したのち先の画像に加算し、オフセット分のデータが累積されないようにしている。
【００１２】
本願請求項７に係るデジタルカメラは、画像表示手段と、撮影前の被写体の画像をスルー画像として前記画像表示手段に表示させ、撮影後記録前の画像をプレビュー画像として前記画像表示手段に表示させる表示制御手段とを備え、撮影される画像や撮影後の多重露光された画像を確認することができるようにしている。
【００１３】
前記画像生成手段は、本願請求項７に示すように３フレーム分の画像を記憶する３つの記憶領域を有し、これらの３つの記憶領域を今回の撮影で取り込んだ取込画像を記憶する記憶領域と、前回の撮影までに取り込んだ画像を加算処理した画像、又は前回の撮影までに取り込んだ画像が１枚の場合にはその画像をキープ画素として記憶する記憶領域と、今回の撮影で取り込んだ取込画像とキープ画像とを加算処理した加算画像を記憶する記憶領域とに使い分け、前記表示制御手段は、最初の撮影で取り込んだ取込画像又は前記加算画像をプレビュー画像として前記画像表示手段に表示させ、前記画像表示手段によるプレビュー画像の表示中に撮り直しが指示されると、最後の取込画像に代えて新たな画像の取り込みを可能にする手段を有することを特徴としている。また、本願請求項７に示すように前記画像表示手段によるスルー画像の表示中にスルー画像の表示と前記キープ画像の表示とを選択的に切り換える切換手段を有することを特徴としている。
【００１４】
【発明の実施の形態】
以下添付図面に従って本発明に係るデジタルカメラの好ましい実施の形態について詳説する。
【００１５】
図１は本発明に係るデジタルカメラの背面図である。このデジタルカメラ１０の上面には、撮影モード選択ダイヤル１１及びシャッターボタン１２が設けられている。撮影モード選択ダイヤル１１は、回転させることにより、マニュアル撮影モード、オート撮影モード、人物モード等の各種の撮影モードを設定することができるようになっている。また、撮影モード選択ダイヤル１１の中央に設けられたシャッターボタン１２は、半押し時にＯＮしてフォーカスロック、測光等の撮影準備を行わせるスイッチＳ１と、全押し時にＯＮして画像の取り込みを行わせるスイッチＳ２とを有している。
【００１６】
また、図１に示すようにデジタルカメラ１０の背面には、ファインダ１３、表示ボタン１４、電源ボタン１５、撮影／再生モード選択スイッチ１６、バックスイッチ１７、メニュー／ＯＫスイッチ１８、マルチファンクションの十字キー１９、ドットマトリクスの液晶表示器２０、及び液晶モニタ２１が設けられている。
【００１７】
液晶表示器２０は、カメラの動作モードや十字キー１９の機能等を文字やアイコンで表示する。また、液晶モニタ２１は、動画（スルー画像）を表示して電子ビューファインダとして使用できるとともに、撮影した記録前の画像（プレビュー画像）やカメラに装填されたメモリカードから読み出した再生画像等を表示することができる。更に、液晶モニタ２１は、撮影可能コマ数や再生コマ番号の表示、マニュアル設定する際のホワイトバランス、画素数、圧縮率、及びシャープネス等をマニュアル設定する際の各種のメニュー等がメニュー／ＯＫスイッチ１８や十字キー１９の操作に応じて表示される。尚、本発明に係る多重露光モードの設定は、マニュアル撮影モード時にメニュー／ＯＫスイッチ１８を押してマニュアル撮影メニューを液晶モニタ２１上に表示し、十字キー１９によって「多重露光モードＯＮ」を選択することによって行われる。
【００１８】
図２は図１に示したデジタルカメラ１０の内部構成を示すブロック図である。
【００１９】
同図において、メインＣＰＵ２２は、前述した撮影モード選択ダイヤル１１、シャッターボタン１２、電源スイッチ１５、撮影／再生モード選択スイッチ１６、バックスイッチ１７、メニュー／ＯＫスイッチ１８、及び十字キー１９等を含む操作スイッチ２４からの入力に基づいてデジタルカメラ１０内の各回路を統括制御する。また、メインＣＰＵ２２は、ＳＤＲＡＭ（シンクロナス・ダイナミックＲＡＭ）２６、ＲＯＭ２８、ＥＥＰＲＯＭ３０との間で必要なデータの授受が行われる。尚、ＲＯＭ２８には、カメラ制御プログラム等が記録され、ＥＥＰＲＯＭ３０には、固体撮像素子の欠陥情報等のカメラ制御に関する各種のパラメータ、データが格納されている。
【００２０】
まず、電源スイッチ１５が操作されると、ＣＰＵ２２はこれを検出し、カメラ内電源をＯＮにする。また、撮影／再生モード選択スイッチ１６によって撮影モードが選択されると、撮影スタンバイ状態にする。
【００２１】
上記撮影スタンバイ状態時にシャッターボタン１２が押されると、ＣＰＵ２２はこれを検知し、カメラＣＰＵ３２にコマンドを送る。カメラＣＰＵ３２は、フォーカス制御、測光、露出制御を行い、光学ユニット３４を介して被写体の画像光を固体撮像素子（ＣＣＤ）３６の受光面上に結像させる。ＣＣＤ３６は、受光面に結像された画像光をその光量に応じた量の信号電荷に変換する。このようにして蓄積された信号電荷は、クロック発生回路３８から加えられるリードゲートパルスによってシフトレジスタに読み出され、レジスタ転送パルスによって信号電荷に応じた電圧信号として順次読み出される。尚、このＣＣＤ３６は、蓄積した信号電荷をシャッタゲートパルスによって掃き出すことができ、これにより電荷の蓄積時間（シャッタスピード）を制御する、いわゆる電子シャッタ機能を有している。
【００２２】
ＣＣＤ３６から出力された電圧信号は、アナログ処理回路４０によって相関二重サンプリングや増幅等のアナログ処理が施された後、各画素ごとのＲ、Ｇ、Ｂ信号としてＡ／Ｄ変換器４２に加えられる。Ａ／Ｄ変換器４２は、アナログ処理回路４０から順次加えられるＲ、Ｇ、Ｂ信号をそれぞれ１２ビットのＲ、Ｇ、Ｂ信号に変換する。これらのＲ、Ｇ、Ｂ信号は、一旦ＳＤＲＡＭ２６に格納される。
【００２３】
画像信号処理回路４４は、上記ＳＤＲＡＭ２６に格納された１２ビットのＲ、Ｇ、Ｂの生データを読み出し、これらに光源種に応じたデジタルゲインをかけることでホワイトバランス調整を行うとともに、ガンマ（階調特性）処理及びシャープネス処理を行って８ビットのＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＳＤＲＡＭ２６に格納する。尚、ホワイトバランス調整は、取り込んだＲ、Ｇ、Ｂ信号に基づいて光源種を判定し、その判定した光源種に適したホワイトバランス補正値（Ｒ、Ｇ、Ｂごとのデジタルゲイン）を使用するオートホワイトバランス調整と、予めマニュアルで選択した光源種に適したホワイトバランス補正値を使用するマニュアルホワイトバランス調整とがある。また、シャープネス処理は、輪郭を強調したり、ソフトにする処理で、マニュアル撮影モード時にマニュアルで輪郭強調の度合いを強く、通常又は弱くのいずれかに設定することができるようになっている。
【００２４】
上記のようにしてＳＤＲＡＭ２６に格納されたＹＣ信号は、圧縮・伸長回路４６によって所定のフォーマットに圧縮されたのち、インターフェース回路４８を介してメモリカード５０に記録される。
【００２５】
一方、撮影／再生モード選択スイッチ１６によって再生モードが選択されると、メモリカード５０に記録されている最終コマの画像ファイルがインターフェース回路４８を介して読み出される。この読み出された画像ファイルの圧縮データは、圧縮・伸長回路４６を介して非圧縮のＹＣ信号に伸長される。
【００２６】
伸長されたＹＣ信号は、ＶＲＡＭ５２を介してビデオエンコーダ５４に加えられ、ここでＮＴＳＣ方式のカラー複合映像信号に変換され、液晶モニタ２１に出力される。これにより、液晶モニタ２１にはメモリカード５０に記録されている最終コマのコマ画像が表示される。
【００２７】
その後、順コマ送りスイッチ（十字キー１９の右キー）が押されると、順方向にコマ送りされ、逆コマ送りスイッチ（十字キー１９の左キー）が押されると、逆方向にコマ送りされる。そして、コマ送りされたコマ位置の画像ファイルがメモリカード５０から読み出され、上記と同様にしてコマ画像が液晶モニタ２１に再生される。尚、最終コマのコマ画像が表示されている状態で順方向にコマ送りされると、メモリカード５０に記録されている１コマ目の画像ファイルが読み出され、１コマ目のコマ画像が液晶モニタ２１に再生される。
【００２８】
次に、上記デジタルカメラ１０の多重露光機能について説明する。
【００２９】
この多重露光機能は、前述したように「多重露光モードＯＮ」を選択して多重露光モードが設定されると、その後、複数回の撮影で取り込んだ複数の画像をデジタル加算処理することにより多重露光撮影を可能にするものである。
【００３０】
この多重露光モードが設定されると、まず、メインＣＰＵ２２は、電子ズーム機能を禁止するとともに、ホワイトバランス、画素数、圧縮率、階調特性及びシャープネスの変更を禁止する。即ち、多重露光モードで撮影する複数枚の画像に対し、電子ズーム倍率、ホワイトバランス、画素数、圧縮率、階調特性及びシャープネスを同条件に固定するようにしている。
【００３１】
電子ズームは、ＣＣＤ３６によって取り込まれる撮影領域の中央部分を電子ズーム倍率に応じて切り出すため、電子ズーム倍率が異なる画像はその大きさ（画素数）が異なる。従って、多重露光時に加算処理する画像の画素数が一致するように、電子ズーム倍率を固定するようにしている。同様の理由で、撮影画像の画素数も変更できないようにしている。
【００３２】
尚、この実施の形態では、多重露光モードの設定前に電子ズーム機能が使用されている場合には、多重露光モードの設定時にズーム倍率が等倍になるように戻すようにしている。また、電子ズームは、十字キー１９の上キー、下キーの操作によってズームアップ、ズームダウンできるようになっており、ドットマトリクスの液晶表示器２０には、上キーがズームアップキー、下キーがズームダウンキーにキー割り当てされていることを示すアイコンが表示されているが、上記のように電子ズーム機能が禁止されると、液晶表示器２０のキー割り当てを示すアイコンを消去するようにしている。
【００３３】
また、ホワイトバランス、圧縮率、階調特性及びシャープネス処理を同条件に固定する理由は、これらの処理は１２ビットのＲ、Ｇ、Ｂ生データを基にデジタル処理で行うため、Ｒ、Ｇ、Ｂ生データを加算して多重露光を実現する場合、複数の取り込みデータごとに異なるデジタル処理ができないからである。
【００３４】
尚、多重露光モードの設定時に禁止される機能は、この実施の形態に限らず、要はデジタル画像処理に関する調整又は設定される機能であれば、いかなるものでもよい。また、この実施の形態では、多重露光モードが設定されると、デジタル画像処理に関する調整又は設定を直ちに禁止するようにしているが、多重露光モードでの２枚目以降の撮影時に禁止するようにしてもよい。
【００３５】
次に、図３のフローチャートを参照しながらデジタルカメラ１０の多重露光モード時の動作について説明する。
【００３６】
まず、多重露光モードが設定されると、被写体を示すスルー画像が液晶モニタ２１に表示され、撮影スタンバイとなる（ステップＳ１０）。ここで、シャッターボタン１２を全押し（スイッチＳ２をＯＮ）すると、前述したように１２ビットのＲ、Ｇ、Ｂ生データがＳＤＲＡＭ２６に取り込まれる（ステップＳ１２）。
【００３７】
図４は多重露光モード時のＳＤＲＡＭ２６のメモリマップを示しており、Ｒ、Ｇ、Ｂ生データ１フレーム分の記憶領域が３フレーム分（フレームＡ、Ｂ、Ｃ）確保されている。これらの３フレーム分の記憶領域は、それぞれ取込画像が保存される領域、加算画像が保存される領域、及びキープ画像が保存される領域として使い分けられる。
【００３８】
ここで、取込画像とは、撮影ごとに新規にＣＣＤ３６から取り込んだＲ、Ｇ、Ｂ生データであり、加算画像とは、キープ画像又は前回までの加算画像と今回取り込んだ取込画像とを加算した画像であり、キープ画像とは、加算用に保持された１コマ目の取込画像又は前回までの加算画像である。
【００３９】
上記ステップＳ１２で取り込んだ１コマ目のＲ、Ｇ、Ｂ生データは、フレームＡの領域に取込画像として保存される。そして、この取込画像に基づいてプレビュー画像が生成され、液晶モニタ２１に表示される（ステップＳ１４）。
【００４０】
ステップＳ１４において、プレビュー画像が表示されている状態で、十字キー１９の右キーが押されると、上記フレームＡの領域に保存された取込画像は多重露光されるキープ画像として確保される（ステップＳ１６）。これにより、多重露光モードでの次の撮影が可能になる。
【００４１】
一方、ステップＳ１４において、十字キー１９の左キーが押されると、上記取込画像を保存しているＳＤＲＡＭ２６の記憶領域がクリアされたのち（ステップＳ１８）、ステップＳ１０に戻る。また、バックスイッチ１７が押されると、ＳＤＲＡＭ２６の３フレーム分の記憶領域がクリアされたのち（ステップＳ２０）、ステップＳ１０に戻る。ステップＳ１４では、ＳＤＲＡＭ２６には１コマ目の取込画像のみが保存されているため、十字キー１９の左キーの操作は、バックスイッチ１７の操作と同じ結果になる。
【００４２】
また、ステップＳ１４において、メニュー／ＯＫスイッチ１８が押されると、ステップＳ２２に飛び、ここでプレビュー画像のメモリカード５０への記録処理が行われる。尚、この場合には、多重露光されていないため、プレビュー撮影モード（プレビュー画像を表示してから記録するか否かを選択する撮影モード）によって１コマ撮影したのと同じ結果になる。ステップＳ２２で記録処理が終了すると、ステップＳ２０でメモリをクリアしたのち、ステップＳ１０に戻る。
【００４３】
さて、ステップＳ１６で取込画像がキープ画像として確保されると、液晶モニタ２１の表示画面はプレビュー画像からスルー画像に切り替えられる（ステップＳ２４）。
【００４４】
ステップＳ２４において、シャッターボタン１２を全押しすると、新たに１２ビットのＲ、Ｇ、Ｂ生データがＳＤＲＡＭ２６に取り込まれる（ステップＳ２６）。この取込画像は、ＳＤＲＡＭ２６のフレームＢの記憶領域に保存される。続いて、この取込画像と既にＳＤＲＡＭ２６の保存されているキープ画像とを、Ｒ、Ｇ、Ｂ画素ごとに加算し、これを加算画像としてＳＤＲＡＭ２６の記憶領域に保存する（ステップＳ２８）。
【００４５】
尚、キープ画像に取込画像を加算する際には、図５に示すように取込画像の黒レベルに相当するオフセット分を取込画像から減算し、オフセット分が取り除かれた取込画像を加算する。これにより、オフセット分が累積されないようにしている。
【００４６】
上記のようにして加算画像が作成されると、液晶モニタ２１の表示画面はスルー画像から加算画像を示すプレビュー画像に切り替えられる（ステップＳ３０）。
【００４７】
ステップＳ３０において、十字キー１９の右キーが押されると、上記プレビューされた加算画像はキープ画像として確保されたのち（ステップＳ３２）、ステップＳ２４に戻り、液晶モニタ２１には再びスルー画像が表示される。上記ステップＳ２４〜Ｓ３２の処理を繰り返すことにより、多重露光する撮影コマ数を任意に選択することができる。
【００４８】
図６は多重露光するコマ数と、ＳＤＲＡＭ２６のフレームＡＢＣの各記憶領域に保存される画像との関係を示している。同図において、「ＰＲ」はプレビューされている画像を示し、「ＫＥＥＰ」はキープ画像を示し、「Ａ＋Ｂ」はフレームＡ及びＢの各記憶領域の画像の加算画像を示し、「Ｂ＋Ｃ」はフレームＢ及びＣの各記憶領域の画像の加算画像を示している。
【００４９】
例えば、多重露光モードで２枚目の撮影が行われると、新たな取込画像はフレームＢの領域に保存されるとともに、フレームＡの領域に保存されていたキープ画像とフレームＢの領域に保存した取込画像との加算画像はフレームＣの領域に保存される。同様に、３枚目の撮影が行われると、新たな取込画像はフレームＢの領域に保存されるとともに、フレームＣの領域に保存されていたキープ画像（前回までの加算画像）とフレームＢの領域に保存した取込画像との加算画像はフレームＡの領域に保存される。
【００５０】
一方、ステップＳ１４において、十字キー１９の左キーが押されると、ステップＳ２６で取り込んだ取込画像をクリアしたのち（ステップＳ３４）、ステップＳ２４に戻る。これにより、キープ画像に加算する画像の撮り直しができるようにしている。また、バックスイッチ１７が押されると、ステップＳ２０でＳＤＲＡＭ２６の３フレーム分の記憶領域がクリアされたのち、ステップＳ１０に戻る。これにより、多重露光撮影を初めから撮り直すことができるようにしている。
【００５１】
ステップＳ３０において、メニュー／ＯＫスイッチ１８が押されると、プレビューされている加算画像（１２ビットのＲ、Ｇ、Ｂ生データ）に対し、ホワイトバランス調整、ガンマ処理及びシャープネス処理を行って８ビットのＲ、Ｇ、Ｂデータとし、更にＹＣ処理した後、予め設定されている圧縮率で圧縮してメモリカード５０に記録する（ステップＳ２２）。この記録処理が終了すると、ステップＳ２０でメモリクリアしたのち、ステップＳ１０に戻る。
【００５２】
尚、液晶モニタ２１は、多重露光撮影間でスルー画像を表示するようにしているが、スルー画像の表示中に１つ手前の加算画像（即ち、加算対象のキープ画像）に切り替え、またキープ画像からスルー画像に切り替える切替スイッチを設けるようにしてもよい。
【００５３】
【発明の効果】
以上説明したように本発明によれば、撮影ごとに画像をデジタル加算処理して多重露光撮影を実現し、特に多重露光モード時には電子ズーム倍率、ホワイトバランス、画素数、圧縮率、階調特性、シャープネス等の変更を禁止するようにしたため、デジタル画像処理において画像破綻しないようにすることができる。また、デジタル加算処理して多重露光撮影を実現するため、多重露光撮影間でスルー画像を表示することができる。また、多重露光されたプレビュー画像を表示することができ、これにより記録前に多重露光された画像を確認することができる。更に、最新の取込画像と前回までの加算画像とを別の記憶領域に保持するようにしたため、多重露光した結果に満足できない場合には最後に取り込んだ画像の撮り直しができる。
【図面の簡単な説明】
【図１】本発明に係るデジタルカメラの背面図
【図２】前記デジタルカメラの内部構成を示したブロック図
【図３】前記デジタルカメラの多重露光モード時の動作を説明するために用いたフローチャート
【図４】多重露光モード時のＳＤＲＡＭのメモリマップを示す図
【図５】Ｒ、Ｇ、Ｂ生データに含まれるオフセット分を説明するために用いた図
【図６】多重露光モード時のＳＤＲＡＭの３フレーム分の記憶領域の使い分けを説明するための用いた図表
【符号の説明】
１０…デジタルカメラ、１１…撮影モード選択ダイヤル、１２…シャッターボタン、１７…バックスイッチ、１８…メニュー／ＯＫスイッチ、１９…十字キー、２０…液晶表示器、２１…液晶モニタ、２２…メインＣＰＵ、２６…ＳＤＲＡＭ、３４…光学ユニット、３６…ＣＣＤ、４４…画像信号処理回路、４６…圧縮・伸長回路、５０…メモリカード
【図１】
0003864407.tif 000002
【図２】
0003864407.tif 000003
【図３】
0003864407.tif 000004
【図４】
0003864407.tif 000005
【図５】
0003864407.tif 000006
【図６】
0003864407.tif 000007